(57)【特許請求の範囲】
【請求項１】
野菜等のワークを計量皿又は計量台に載せて重量を計量しその重量が複数の範囲のうちいずれに属しているかを表示する重量範囲表示装置であって、
前記ワークの重量を計量する計量器と、
第一状態，第二状態，第三状態の三つの異なる状態を表示可能なランプと、
前記計量器で計量したワークの重量が、許容下限値未満であると前記ランプを前記第一状態で表示させ、前記許容下限値以上許容上限値未満であると前記第二状態で表示させ、前記許容上限値以上であると前記第三状態で表示させるランプ制御手段を、備え、
前記計量器は、複数隣接して配置されてなるとともに、
前記ランプも前記複数の計量器のそれぞれに対応して設けられてなり、
しかも前記計量器は、水平回転自在なターンテーブル上に複数環状に配置されてなることを特徴とする重量範囲表示装置。
【請求項２】
前記ランプは、前記三つの異なる状態を色で表示する三つの異なる色のランプであることを特徴とする請求項１に記載の重量範囲表示装置。
【発明の詳細な説明】
【技術分野】
【０００１】
本発明は、野菜等のワークを計量皿又は計量台に載せて重量を計量しその重量が複数の範囲のうちいずれに属しているかを表示する重量範囲表示装置に関するものである。
【背景技術】
【０００２】
野菜等を店頭で販売するときに１パックの重量が大きくばらつかないように、出荷時に野菜等のワークの重量を計量して、１パックの重量が所定の範囲内となるように調整されることが多い。
計量するために使用される計量器には、広く一般に知られている上皿秤がある（例えば、特許文献１参照）。
【先行技術文献】
【特許文献】
【０００３】
【特許文献１】実開昭６２−１４３２２２号公報
【０００４】
上皿秤は、その上部に計量皿が設けられており、ワークを計量皿に載置することで計量可能である。
計量皿はワークの重量に比例して下降して、それに伴って指針が取付けられた軸が回転する。
そして、指針が指した箇所の文字盤の数字を作業者が読む。
この上皿秤はバネの伸縮によって計量可能となっているので、アナログ式の秤やバネ式の秤と呼ばれることもある。
【発明の概要】
【発明が解決しようとする課題】
【０００５】
しかしながら、このような上皿秤でワークの重量を計量すると、指針が指す文字盤の表示を読まなくてはならず、また指針は一般的に細いので、一目ではその重量がわかり難いといった問題がある。
【０００６】
計量する回数が一日に数回ならばこれでも大した問題ではないが、商品として出荷する前にワークの全数を計量しなければならないといった大量のワークを処理する場合では、一回の計量に掛ける時間を例えば１秒短縮するだけでも、全体として大幅な時間の短縮になる。
【０００７】
そこで、本発明の目的とするところは、ワークの重量が複数の範囲のうちいずれに属しているかを一目で判別可能で計量時間を短縮できる重量範囲表示装置を提供することにある。
【課題を解決するための手段】
【０００８】
上記の目的を達成するために、本発明の請求項１に記載の重量範囲表示装置（１００）は、野菜等のワークを計量皿（１１）又は計量台に載せて重量を計量しその重量が複数の範囲のうちいずれに属しているかを表示する重量範囲表示装置（１００）であって、前記ワークの重量を計量する計量器（１０）と、第一状態，第二状態，第三状態の三つの異なる状態を表示可能なランプ（２０）と、前記計量器（１０）で計量したワークの重量が、許容下限値未満であると前記ランプ（２０）を前記第一状態で表示させ、前記許容下限値以上許容上限値未満であると前記第二状態で表示させ、前記許容上限値以上であると前記第三状態で表示させるランプ制御手段を、備え、前記計量器（１０）は、複数隣接して配置されてなるとともに、前記ランプ（２０）も前記複数の計量器（１０）のそれぞれに対応して設けられてなり、しかも前記計量器（１０）は、水平回転自在なターンテーブル（５０）上に複数環状に配置されてなることを特徴とする重量範囲表示装置。
【００１３】
また、請求項２に記載の重量範囲表示装置（１００）は、前記ランプ（２０）は、前記三つの異なる状態を色で表示する三つの異なる色のランプ（２０）であることを特徴とする。
【００１４】
ここで、上記括弧内の記号は、図面および後述する発明を実施するための形態に掲載された対応要素または対応事項を示す。
【発明の効果】
【００１５】
本発明によれば、第一状態，第二状態，第三状態の三つの異なる状態を表示可能なランプと、計量器で計量したワークの重量が、許容下限値未満であるとランプを第一状態で表示させ、許容下限値以上許容上限値未満であると第二状態で表示させ、許容上限値以上であると第三状態で表示させるランプ制御手段を、備えるので、指針を読むことなくランプの表示を見るだけでワークの重量が複数の範囲のうちいずれに属しているかを一目で判別可能である。よって、視覚的にわかり易く、指針が指した表示を読む場合より、計量時間を短縮できる。
【００１８】
また、本発明によれば、計量器は、複数隣接して配置されてなり、ランプも複数の計量器のそれぞれに対応して設けられてなるので、作業者の待つ時間が不要である。
すなわち、ワークが各状態の境界付近の重量であるときには、計量皿等にワークを載置してその回動が収束するまで待たないと、いずれの状態（範囲）に属しているか判断できないが、本発明のように複数の計量器にランプがそれぞれ対応して設けられていると、次々とワークを載置していき、ワークの載置から時間が経って回動が収束した計量器に対応するランプを見ればよいので、作業者が待たなくて済む。
【００１９】
また、本発明によれば、計量器は、水平回転自在なターンテーブル上に複数環状に配置されてなるので、作業者が移動することなく計量可能で、さらに計量時間を短縮できる。
【００２０】
また、本発明によれば、ランプは、三つの異なる状態を色で表示する三つの異なる色のランプであるので、いずれの状態であるかより一目で判別可能である。
【００２１】
なお、本発明の重量範囲表示装置のように、ランプとランプ制御手段を備え、ランプに第一状態，第二状態，第三状態の三つの異なる状態を表示させる点は、上述した特許文献１には全く記載されていない。
【図面の簡単な説明】
【００２２】
【図１】本発明の実施形態に係る重量範囲表示装置を示す斜視図である。
【図２】図１に示す重量範囲表示装置における回動体を示す正面図である。
【図３】図１に示す重量範囲表示装置における回動体を示す平面図である。
【図４】本発明の実施形態に係る重量範囲表示装置における回動体の第一状態を示す正面図である。
【図５】本発明の実施形態に係る重量範囲表示装置における回動体の第二状態を示す正面図である。
【図６】本発明の実施形態に係る重量範囲表示装置における回動体の第三状態を示す正面図である。
【図７】第一光センサー、第二光センサー、及びランプのＯＮ−ＯＦＦ動作を示す図である。
【図８】本発明の他の実施形態に係る重量範囲表示装置における回動体を示す正面図である。
【発明を実施するための形態】
【００２３】
図１乃至図７を参照して、本発明の実施形態に係る重量範囲表示装置１００を説明する。
この重量範囲表示装置１００は、野菜等のワークを計量皿１１に載せて重量を計量しその重量が複数の範囲のうちいずれに属しているかを表示するものであり、計量器１０と、回動体３０と、第一光センサー４１と、第二光センサー４２、ランプ２０、ランプ制御手段を備える。
ここでいう重量の複数の範囲とは、許容下限値未満の場合、許容下限値以上許容上限値未満の場合、許容上限値以上の場合の三つの範囲をいい、計量してワークの重量が許容下限値以上許容上限値未満であることを確認するとともに、仮に許容下限値未満であったときにはワークの量を増やす。
本実施形態においては、計量器１０及びこれに付随する残りの回動体３０等が、水平回転自在なターンテーブル５０上に環状に六組配置されてなるが、その六組は全て同様の構成であるので、ここでは一組について説明する。なお、図１においては残りの五組については破線で配置位置のみを示した。
【００２４】
計量器１０は、ワークの重量を計量するためのアナログ式（バネ式）の上皿秤である。
上部には計量皿１１（計量台であってもよい）が設けられ、その計量皿１１はワークの重量に比例して下降する。そして、その下降に伴って軸が回転する。
通常の上皿秤にはこの軸に指針が取付けられているが、本実施形態における計量器１０は、既存の計量器１０の指針に代えて回動体３０を軸に取付けたものである。
【００２５】
回動体３０は、円板であって、計量器１０の軸に連結されており、アナログ式上皿秤の計量皿１１（計量台）の昇降量に対応して回動する。
計量皿１１にワークを載置したときには回動体３０は時計回りに回転し、その回転量はワークの重量に比例する。
また、図２に示すように回動体３０には第一切欠部３１及び第二切欠部３２が湾曲した長孔状に切り欠かれて形成されている。第一切欠部３１と第二切欠部３２は互いに離間しており、第一切欠部３１と第二切欠部３２が連通するものではない。また、第一切欠部３１と第二切欠部３２はそれぞれ閉じており、回動体３０の外周に連通していない。
第一切欠部３１及び第二切欠部３２はそれぞれ回動周方向に延びており、その長さは第二切欠部３２より第一切欠部３１のほうが長い。
【００２６】
第一切欠部３１の回動周方向の長さは許容下限値以上に対応する回転角度分であり、第二切欠部３２の回動周方向の長さは許容下限値以上許容上限値未満に対応する回転角度分だけである。
すなわち、回転角度は計量皿１１に載置されたワークの重量に比例するので、対応する重量幅が広いほど第一切欠部３１や第二切欠部３２の回動周方向の長さを長く設定するようになる。
【００２７】
本実施形態においては、許容下限値を１９０ｇ、許容上限値を２１０ｇと設定したので、第二切欠部３２の回動周方向の長さは許容上限値と許容下限値との差である２０ｇ分に対応した長さ（角度分）である。したがって、この長さは許容上限値と許容下限値との差が２０ｇよりも小さい場合には、本実施形態の長さよりも短くなる。
また、第一切欠部３１の時計回り側先端位置を１８０度回転させた位置に第二切欠部３２の時計回り側先端を配置している。
【００２８】
第一光センサー４１は、図３に示すように、発光する発光部４１ａ及び発光部４１ａからの光を受光する受光部４１ｂを有し、回動体３０を隔てて発光部４１ａと受光部４１ｂを向かい合わせて配置した。ワークの重量が許容下限値以上のとき、回動した回動体３０の第一切欠部３１を発光部４１ａからの光が通過するように回動体３０の表側には発光部４１ａを、回動体３０の裏側には受光部４１ｂを配置して、発光部４１ａ及び受光部４１ｂをその位置で固定した。
【００２９】
よって、図５に示すように、回動体３０が回動して正面視で第一光センサー４１の位置に第一切欠部３１が一致したときに、発光部４１ａからの光を受光部４１ｂが受光し、これにより第一切欠部３１を検出可能とした。
また、回動体３０が回動しても第一光センサー４１の位置は変化しない。
なお、図２や図４等では簡単のために発光部４１ａの記載を省略した。
【００３０】
第二光センサー４２は、物としては第一光センサー４１と同じ物で、発光部４２ａと受光部４２ｂを有する。
そして、回動体３０の表側には発光部４２ａを、回動体３０の裏側には受光部４２ｂを配置し、発光部４２ａと受光部４２ｂを向かい合わせた。
そして、ワークの重量が許容下限値以上許容上限値未満のときに回動した回動体３０の第二切欠部３２に光を通過させることによって、第二切欠部３２を検出可能とした。
すなわち、図５に示すように、回動体３０の回転が許容下限値未満から許容下限値となったときには、第二光センサー４２の受光部４２ｂが受光すると同時に第一光センサー４１の受光部４１ｂが受光する。
【００３１】
ランプ２０は、第一状態，第二状態，第三状態の三つの異なる状態を表示可能であり、その三つの異なる状態を色で表示する三つの異なる色のランプ２０である。図１に示すように、一つの計量器１０につき第一ランプ２０Ａ，第二ランプ２０Ｂ，第三ランプ２０Ｃの三つのランプ２０が、筒体５１の表面に縦一列に配置される。なお、この筒体５１はターンテーブル５０とともに水平回転する。
ここでは、第一状態では第一ランプ２０Ａが赤で、第二状態では第二ランプ２０Ｂが青で、第三状態では第三ランプ２０Ｃが黄で、それぞれ発光するようにしたが、この色に限られるものではない。
【００３２】
ランプ制御手段は、本実施形態においては第一切欠部３１及び第二切欠部３２の検出の有無、すなわち第一光センサー４１及び第二光センサー４２での光の受信の有無に対応して、ランプ２０を三つの異なる状態のうちいずれか一つの状態で表示させるリレー回路である。
つまり、このリレー回路は、計量器１０で計量したワークの重量が、許容下限値未満であるとランプ２０を第一状態で表示させ、許容下限値以上許容上限値未満であると第二状態で表示させ、許容上限値以上であると第三状態で表示させる。
【００３３】
次に、図７を参照して重量範囲表示装置１００の動作を順に説明する。図７における横軸は回動体３０の回転角度θである。
回動体３０が図２の状態から図４の状態までは、第一光センサー４１及び第二光センサー４２は発光部４１ａ，４２ａからの光が回動体３０本体に遮られるので、それぞれ第一切欠部３１や第二切欠部３２を検出していない。つまり、第一光センサー４１及び第二光センサー４２はＯＦＦとなっている。
このとき、リレー回路は、第一光センサー４１及び第二光センサー４２がＯＦＦであるという信号に基づいて、赤のランプ２０Ａのみを点灯させ、青と黄のランプ２０Ｂ，２０Ｃは消灯状態とする（第一状態）。
【００３４】
回動体３０がさらに時計回りに回転して図５の状態であるときには、第一光センサー４１及び第二光センサー４２がそれぞれ第一切欠部３１と第二切欠部３２を検出し、ＯＮの状態となる。
このとき、赤のランプ２０Ａを消灯させるとともに青のランプ２０Ｂを点灯させるようにリレー回路がはたらいて回路が切り替わる（第二状態）。また、黄のランプ２０Ｃは消灯している。
【００３５】
さらに回動体３０が回転して図６の状態になったときには、第一光センサー４１は第一切欠部３１を検出するが、第二光センサー４２は第二切欠部３２を検出しない。つまり、第一光センサー４１はＯＮで第二光センサー４２はＯＦＦである。
このとき、青のランプ２０Ｂを消灯させるとともに黄のランプ２０Ｃを点灯させるようにリレー回路がはたらいて回路が切り替わる（第三状態）。また、赤のランプ２０Ａは消灯している。
【００３６】
このように一組の計量器１０やランプ２０等は構成されており、先述した通り一つの重量範囲表示装置１００にはこれらの組合せが六組設けられている。
そして、作業者が同じ場所に立ったままワークを計量皿１１に載置したりワークを計量皿１１から取ったりできるように、ターンテーブル５０が水平回転する。
【００３７】
作業者は、ワークを計量皿１１に載置して第一ランプ２０Ａが点灯したときにはさらにワークの量を増やす。第二ランプ２０Ｂが点灯したときには重量が適切であるので、そのまま袋詰めして出荷する。第三ランプ２０Ｃが点灯したときは重量オーバーであるが、消費者に不利益にならないので、このときもそのまま袋詰めして出荷する。もちろん、第三ランプ２０Ｃが点灯したときにワークの量を減らしてもよい。
【００３８】
以上のように構成された重量範囲表示装置１００によれば、第一状態，第二状態，第三状態の三つの異なる状態を表示可能なランプ２０と、計量器１０で計量したワークの重量が、許容下限値未満であるとランプ２０を第一状態で表示させ、許容下限値以上許容上限値未満であると第二状態で表示させ、許容上限値以上であると第三状態で表示させるランプ制御手段を、備えるので、指針を読むことなくランプ２０の表示を見るだけでワークの重量が複数の範囲のうちいずれに属しているかを一目で判別可能である。よって、視覚的にわかり易く、指針が指した表示を読む場合より、計量時間を短縮できる。
【００３９】
また、アナログ式上皿秤の計量皿１１の昇降量に対応して回動するとともに、許容下限値以上に対応する回転角度分だけ切り欠かれて形成された第一切欠部３１及び許容下限値以上許容上限値未満に対応する回転角度分だけ切り欠かれてなりかつ第一切欠部３１とは離間して形成された第二切欠部３２を有する回動体３０と、回動体３０の表側又は裏側に配置され、ワークの重量が許容下限値以上のときに回動した回動体３０の第一切欠部３１に光を通過させることによって第一切欠部３１を検出可能な第一光センサー４１と、回動体３０の表側又は裏側に配置され、ワークの重量が許容下限値以上許容上限値未満のときに回動した回動体３０の第二切欠部３２に光を通過させることによって第二切欠部３２を検出可能な第二光センサー４２、を備えるので、ランプ２０における三つの異なる状態の表示の切り替えを確実に行うことができる。
また、第一切欠部３１及び第二切欠部３２の検出を第一光センサー４１や第二光センサー４２、すなわち非接触で行うので、連続運転を行っても故障頻度が少ない。
【００４０】
また、ランプ制御手段は、第一切欠部３１及び第二切欠部３２の検出の有無に対応して、ランプ２０を三つの異なる状態のうちいずれか一つの状態で表示させるリレー回路であるので、範囲表示のための構造が単純であり、故障がより少ない。
さらにランプ２０は、三つの異なる状態を色で表示する三つの異なる色のランプ２０Ａ，２０Ｂ，２０Ｃであるので、いずれの状態であるか、より一目で判別可能である。
【００４１】
また、計量器１０は、複数隣接して配置されてなり、ランプ２０も複数の計量器１０のそれぞれに対応して設けられてなるので、作業者の待つ時間が不要である。
すなわち、ワークが各状態の境界付近の重量であるときには、計量皿１１等にワークを載置してその回動が収束するまで待たないと、いずれの状態（範囲）に属しているか判断できないが、本実施形態のように複数の計量器１０にランプ２０がそれぞれ対応して設けられていると、次々とワークを載置していき、ワークの載置から時間が経って回動が収束した計量器１０に対応するランプ２０を見ればよいので、作業者が待たなくて済む。
また、計量器１０は、水平回転自在なターンテーブル５０上に複数環状に配置されてなるので、作業者が移動することなく計量可能で、さらに計量時間を短縮できる。
【００４２】
なお、本実施形態において、ランプ制御手段をリレー回路であるとしたが、これに限られるものではなく、ランプ２０Ａ，２０Ｂ，２０Ｃに図７に示す動作をさせる制御部であってもよい。
【００４３】
また、第一切欠部３１と第二切欠部３２は回動体３０の外周と連通せずに形成されたが、これに限られるものではなく、回動体３０の外周と連通していてもよい。
また、第一切欠部３１と第二切欠部３２の形状はこれらに限られるものではなく、許容下限値及び許容上限値の該当箇所で図７に示すように第一光センサー４１や第二光センサー４２のＯＮとＯＦＦを切り替えることができればそれで足りる。
【００４４】
また、図８に示すように第一切欠部３１を第二切欠部３２の外周側に形成してもよく、このとき第一光センサー４１及び第二光センサー４２を第一切欠部３１や第二切欠部３２に対応させて配置することで、重量範囲表示装置１００は図７のように動作する。
【００４５】
また、計量器１０が複数環状に配置されたが、これに限られるものではなく、複数直線状に配置されてもよい。
さらには、計量器１０等の組合せが一組だけであってもよい。
【００４６】
また、第一光センサー４１及び第二光センサー４２をいわゆる透過型の光センサーとしたが、これに限られるものではなく、反射型の光センサーであってもよい。つまり、光センサーの発光部４１ａ，４２ａと受光部４１ｂ，４２ｂは一体であってもよい。
【００４７】
また、ランプ２０は三つの異なる状態を色で表示する三つの異なる色のランプ２０Ａ，２０Ｂ，２０Ｃとしたが、これに限られるものではなく、例えば一つのランプ２０のみを備え、第一状態では消灯、第二状態では点灯、第三状態では点滅、というように、それぞれ異なる表示が可能であればよい。この異なる表示には、一つのランプ２０を切り替えることで三つの色を表示できるものも含まれる。
【００４８】
また、計量器１０で計量した重量が三つの範囲のうちいずれに属しているかを知るために切欠部３１，３２と光センサー４１，４２を用いたが、これに限られるものではない。
また、計量器１０はアナログ式の上皿秤に限られるものではない。
【００４９】
また、ターンテーブル５０をドーナツ状として、その中央部に作業者が入って計量してもよい。
【符号の説明】
【００５０】
１０      計量器
１１      計量皿
２０      ランプ
２０Ａ    第一ランプ
２０Ｂ    第二ランプ
２０Ｃ    第三ランプ
３０      回動体
３１      第一切欠部
３２      第二切欠部
４１      第一光センサー
４１ａ    発光部
４１ｂ    受光部
４２      第二光センサー
４２ａ    発光部
４２ｂ    受光部
５０      ターンテーブル
５１      筒体
１００      重量範囲表示装置
【要約】
【課題】ワークの重量が複数の範囲のうちいずれに属しているかを一目で判別可能で計量時間を短縮できる重量範囲表示装置を提供する。
【解決手段】野菜等のワークを計量皿１１又は計量台に載せて重量を計量しその重量が複数の範囲のうちいずれに属しているかを表示する重量範囲表示装置１００であって、ワークの重量を計量する計量器１０と、第一状態，第二状態，第三状態の三つの異なる状態を表示可能なランプ２０と、計量器１０で計量したワークの重量が、許容下限値未満であるとランプ２０を第一状態で表示させ、許容下限値以上許容上限値未満であると第二状態で表示させ、許容上限値以上であると第三状態で表示させるランプ制御手段を、備える。
【選択図】図１【図１】
0005756550.tif 000002
【図２】
0005756550.tif 000003
【図３】
0005756550.tif 000004
【図４】
0005756550.tif 000005
【図５】
0005756550.tif 000006
【図６】
0005756550.tif 000007
【図７】
0005756550.tif 000008
【図８】
0005756550.tif 000009